(57)【要約】【課題】送風性能及び静圧が向上したターボファンを提供する。【解決手段】電動機５のシャフト５ａに固定されるボス１５と、前記電動機５を覆う主板９と、前記主板９の先端部に連結され任意の間隔を置いて設けられた複数のブレード６と、前記ブレード６の他端部に架設されたシュラウド７と、遠心型の内羽根４を備えたもので、ブレード６と内羽根４の２つのファンにより、送風性能及び静圧を向上させることができる。【選択図】図１
2005307869.tif 000002
【特許請求の範囲】
【請求項１】
電動機のシャフトに固定されるボスと、前記電動機を覆う主板と、前記主板の先端部に連結され任意の間隔を置いて設けられた複数のブレードと、前記ブレードの他端部に架設されたシュラウドと、遠心型の内羽根を備えたことを特徴とするターボファン。
【請求項２】
主板の電動機を覆う部位に内羽根を配した請求項１記載のターボファン。
【請求項３】
主板の電動機を覆う部位に配された通風口と、前記通風口の開放面を覆う椀型のキャップとを備えた請求項２記載のターボファン。
【請求項４】
主板の電動機を覆う部位に配された通風口と、前記通風口の開放面を覆う椀型のキャップとを備え、前記キャップに内羽根を配した請求項１記載のターボファン。
【請求項５】
主板の電動機を覆う部位に配された通風口と、前記通風口の開放面を覆う壁部と、前記壁部を支持する支持片とを備えたことを特徴とする請求項２記載のターボファン。
【請求項６】
主板の裏面に第２の内羽根を取り付けたことを特徴とする請求項３〜５のいずれか１項に記載のターボファン。
【請求項７】
熱交換器と、請求項１〜６のいずれか１項に記載のターボファンを備えた空気調和機。
【発明の詳細な説明】
【技術分野】
【０００１】
本発明は、ターボファン及び空気調和機に関するものである。
【背景技術】
【０００２】
従来のターボファンについて、図６、図７を用いて説明する。
【０００３】
図６は、従来のターボファンを搭載した天井埋め込み型の空気調和機の室内ユニットの外観斜視図で、図７は、同ターボファンの斜視図である。
【０００４】
図６において、室内ユニット１２に設けられた送風回路は、室内の空気を吸い込む吸い込み部１３、エアーフィルター（図示せず）、熱交換器（図示せず）、ターボファン１、吹出し部１４を通過して流れる空気の流通路で構成されている。ターボファン１は電動機（図示せず）と連結されて回転駆動されるようになっている。
【０００５】
次に、図７を用いて、ターボファン１について詳細に説明する。
【０００６】
ターボファン１は、電動機を覆う壁２と、その外周からボス１５の軸方向と直交する方向に円形状部からなる主板９と、この主板９の先端部に連結され任意の間隔を存して設けられた複数のブレード６と、これらブレード６の他端部に架設されるシュラウド７とから構成され、主板９の電動機を覆う壁２には電動機を冷却するための通風口３が設けられており、通風口３から主板９の表側への空気の通路を形成するためのキャップ８が壁２に取り付けられ、キャップ８の中心には電動機のシャフト（図示せず）と固定されるボス１５が形成されている。
【０００７】
上記構成により、ターボファン１が回転すると、電動機を冷却した空気が通風口３から流れ出し、キャップ８に当たりながら流れ出ることにより、空気は主板９側の方に流れるようになっている（例えば、特許文献１参照）。
【特許文献１】特許第３１３１６２５号公報
【発明の開示】
【発明が解決しようとする課題】
【０００８】
しかしながら、前記従来のターボファン１の構成では、ブレード６の底部の外周から吸い込まれた風が、通風口３から吹き出されるため、風量性能の劣化、静圧の低下に繋がるという課題があった。
【０００９】
さらには、通風口３から吹き出される時に発生する音により、騒音レベルが上昇するという課題もあった。
【００１０】
本発明は、前記従来の課題を解決するもので、騒音レベルが低く、送風性能に優れかつ電動機の冷却を合理的に行うことができるターボファンを提供することを目的とする。
【課題を解決するための手段】
【００１１】
前記従来の課題を解決するために、本発明のターボファンは、電動機のシャフトに固定されるボスと、前記電動機を覆う主板と、前記主板の先端部に連結され任意の間隔を置いて設けられた複数のブレードと、前記ブレードの他端部に架設されたシュラウドと、遠心型の内羽根を備えたもので、ブレードと内羽根の２つのファンにより、送風性能及び静圧を向上させることができる。
【発明の効果】
【００１２】
本発明のターボファンは、静圧が向上し、しかも送風性能に優れている。
【発明を実施するための最良の形態】
【００１３】
第１の発明は、電動機のシャフトに固定されるボスと、前記電動機を覆う主板と、前記主板の先端部に連結され任意の間隔を置いて設けられた複数のブレードと、前記ブレードの他端部に架設されたシュラウドと、遠心型の内羽根を備えたもので、ブレードと内羽根の２つのファンにより、送風性能及び静圧を向上させることができる。
【００１４】
第２の発明は、特に、第１の発明の主板の電動機を覆う部位に内羽根を配したもので、ブレードと内羽根の２つのファンを直列に並べた形態になり、送風性能及び静圧を大幅に向上させることができる。
【００１５】
第３の発明は、特に、第２の発明の主板の電動機を覆う部位に配された通風口と、前記通風口の開放面を覆う椀型のキャップとを備えたもので、内羽根により通風口から流れ出る風量を増加させることになり、電動機の冷却効果を向上させることができる。また、主板の底部側に内羽根が位置するようになるため、従来流れ難い底部まで空気が流れ込み、風量性能が向上する。
【００１６】
第４の発明は、特に、第１の発明の主板の電動機を覆う部位に配された通風口と、前記通風口の開放面を覆う椀型のキャップとを備え、前記キャップに内羽根を配したもので、通風口から流れ出る風量を増加させることになり、電動機の冷却効果を向上させることができる。
【００１７】
第５の発明は、特に、第２の発明の主板の電動機を覆う部位に配された通風口と、前記通風口の開放面を覆う壁部と、前記壁部を支持する支持片とを備えたもので、通風口から流れ出る風量を増加させることになり、電動機の冷却効果を向上させることができる。また、開放面を覆う壁部によって風切り音を減少させ、さらに椀型のキャップが必要でないため生産性が向上する。
【００１８】
第６の発明は、特に、第３〜５のいずれか１つの発明の主板の裏面に第２の内羽根を取り付けたもので、第２の内羽根により、ターボファンの底板の外周から空気を吸い込み、電動機の周囲を通過して、通風口から吹き出されるので、主板の表側に設けた内羽根の作用と相まって、通風口から流れ出る風量を大幅に増加させると共に電動機周りでの風速が向上して、電動機の冷却効果を飛躍的に向上させることができる。
【００１９】
第７の発明は、熱交換器と、請求項１〜６のいずれか１項に記載のターボファンを備えたもので、送風性能、熱交換効率の良い空気調和機を提供することができる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態におけるターボファンの外観斜視図である。なお、従来例と同一部分については、同一符号を付してその説明を省略する。
【００２２】
電動機５は、ターボファン１を回転駆動する電動機で、そのシャフト５ａにターボファン１のボス１５が固定されると共に、主板９の壁１７で覆われている。壁１７には、遠心型の内羽根４が複数設けられている。
【００２３】
上記構成により、電動機５によってターボファン１が回転すると、ターボファン１の中央部から吸い込まれた空気は、内羽根４から吸い込まれ、昇圧され外周方向に吹き出される。さらに、ターボファンのブレード６に吸い込まれる。すなわち、一部の空気は内羽根４、ブレード６の両者の羽根を通過することになり高静圧化が図れる。また、ターボファン１のシュラウド７の風が流れ難い部分においても、内羽根４によって吹き付けられて風量性能が向上する。
【００２４】
（実施の形態２）
図２は、本発明の第２の実施の形態におけるターボファンの外観斜視図である。なお、従来例並びに上記第１の実施の形態と同一部分については、同一符号を付してその説明を省略する。
【００２５】
本実施の形態は、図２に示すように、従来例で述べた、壁２に設けた通風口３を覆う椀型のキャップ８に、遠心型の内羽根４を設けたものである。
【００２６】
上記構成により、第１の実施の形態で述べた空気の流れ現象に加えて、通風口３から流れ出る風量が、内羽根４により増加し、電動機５の冷却効果をさらに向上させることができるものである。
【００２７】
（実施の形態３）
図３は、本発明の第３の実施の形態におけるターボファンの外観斜視図である。なお、従来例並びに上記実施の形態と同一部分については、同一符号を付してその説明を省略する。
【００２８】
本実施の形態は、上記第２の実施の形態で、キャップ８に内羽根４を設けたのに対し、電動機５を覆う壁２に、内羽根４を設けたもので、キャップ８が上流側に位置する分内羽根４が主板９の底部により近くなる事により、従来流れ難い底部まで空気が流れ込み風量性能が向上するものである。
【００２９】
（実施の形態４）
図４は、本発明の第４の実施の形態におけるターボファンの外観斜視図である。なお、従来例並びに上記実施の形態と同一部分については、同一符号を付してその説明を省略する。
【００３０】
本実施の形態は、電動機５を覆う壁２に設けた通風口３の開放面を覆う壁部１０と、この壁部１０を支持する支持片１１とを設け、さらに電動機５を覆う壁２に内羽根４を設けたものである。
【００３１】
上記構成により、通風口３の開放面を覆う壁部１０によって風切り音が抑制されると共に、従来設けていた椀型のキャップ８が不要になるため生産性が向上し、しかも安価にターボファンを形成することができる。
【００３２】
（実施の形態５）
図５は、本発明の第５の実施の形態におけるターボファンの斜視図である。なお、従来例並びに上記実施の形態と同一部分については、同一符号を付してその説明を省略する。
【００３３】
本実施の形態は、図５に示すように、第４の実施の形態におけるターボファン１の壁２の裏面（電動機５側）に遠心型の第２の内羽根４ａを取り付けたもので、表側の内羽根４の作用と相まって電動機５の周りを通る空気の風速が大幅に増加して、電動機５からの放熱量が増加し、同電動機５の冷却効果が飛躍的に向上するものである。
【産業上の利用可能性】
【００３４】
以上のように、本発明にかかるターボファンは、送風性能及び静圧を向上させると共に、それを回転駆動する電動機の冷却効果が向上するので、ターボファンを設けた空気調和機、換気装置等に広く適用できる。
【図面の簡単な説明】
【００３５】
【図１】本発明の実施の形態１におけるターボファンの外観斜視図
【図２】本発明の実施の形態２におけるターボファンの外観斜視図
【図３】本発明の実施の形態３におけるターボファンの外観斜視図
【図４】本発明の実施の形態４におけるターボファンの外観斜視図
【図５】本発明の実施の形態５におけるターボファンの外観斜視図
【図６】従来のターボファンを搭載した空気調和機の室内ユニットの外観斜視図
【図７】従来のターボファンの斜視図
【符号の説明】
【００３６】
１  ターボファン
２  壁
３  通風口
４  内羽根
４ａ  第２の内羽根
５  電動機
５ａ  シャフト
６  ブレード
７  シュラウド
８  キャップ
９  主板
１０  壁部
１１  支持片
１５  ボス
１７  壁
【図１】
2005307869.tif 000003
【図２】
2005307869.tif 000004
【図３】
2005307869.tif 000005
【図４】
2005307869.tif 000006
【図５】
2005307869.tif 000007
【図６】
2005307869.tif 000008
【図７】
2005307869.tif 000009